(57)【要約】【課題】伝送器内のセンサやＭＰＵが異常になったときは、異常状態であることを示すために正常範囲外の電流を出力するようにしているが、出力電流を伝送器の消費電流以下にすることができないので、異常時の出力電流を４ｍＡ以下に設定した場合に十分なノイズマージンを取ることができなかったという課題を解決する。【解決手段】センサやＭＰＵが異常になったときに、周辺回路に供給するクロックの周波数を下げ、また周辺回路への電力供給を停止するようにした。消費電流が小さくなるので、異常時の出力電流を４ｍＡより小さくしたときでも十分なノイズマージンを取ることができる。【選択図】            図１
2004355101.tif 000002
【特許請求の範囲】
【請求項１】
物理量を電気信号に変換するセンサと、このセンサの出力が入力され、そのセンサ出力を加工して出力すると共に前記センサの動作を監視する制御部と、所定のクロックを分周する第１の分周回路と、この第１の分周回路によってクロックが供給される第１の周辺回路とを有し、前記制御部が前記センサの異常を検出したときに、前記第１の分周回路の分周比を大きくすると共に、出力電流を前記センサが検出する前記物理量の下限値に対応する出力電流の値よりも小さくするようにしたことを特徴とする２線式伝送器。
【請求項２】
前記制御部の出力および前記センサが検出する前記物理量の下限値に対応する電流値よりも小さい出力電流の値に関連する信号が入力される選択器と、この選択器の出力が入力され、出力電流を生成する出力部と、前記選択器を制御し、前記制御部の出力が入力される出力制御部とを有し、前記制御部が前記センサの異常を検出したときに、前記出力制御部は前記選択器を制御して、前記出力部に前記物理量の下限値に対応する電流値よりも小さい出力電流の値に関連する信号を出力するようにしたことを特徴とする請求項１記載の２線式伝送器。
【請求項３】
所定のクロックを分周する第２の分周回路と、この第２の分周回路によってクロックが供給される第２の周辺回路とを有し、前記制御部が前記センサの異常を検出したときに、前記出力制御部は前記第２の分周回路の分周比を大きくするようにしたことを特徴とする請求項２記載の２線式伝送器。
【請求項４】
前記制御部が出力する前記センサの出力を加工した信号は、ＰＷＭ（Ｐｕｌｓｅ  Ｗｉｄｔｈ  Ｍｏｄｕｌａｔｉｏｎ）設定値であることを特徴とする請求項１ないし請求項３いずれかに記載の２線式伝送器。
【請求項５】
物理量を電気信号に変換するセンサと、このセンサの出力が入力され、このセンサ出力を加工して出力すると共に前記センサの動作を監視する制御部と、この制御部の動作を監視するウオッチドッグタイマと、所定のクロックを分周する第２の分周回路と、この第２の分周回路によってクロックが供給される第２の周辺回路とを有し、前記ウオッチドッグタイマが前記制御部の異常を検出したときに、前記第２の分周回路の分周比を大きくすると共に、出力電流を前記センサが検出する前記物理量の下限値に対応する出力電流の値よりも小さくするようにしたことを特徴とする２線式伝送器。
【請求項６】
前記制御部の出力および前記センサが検出する前記物理量の下限値に対応する電流値よりも小さい出力電流の値に関連する信号が入力される選択器と、この選択器の出力が入力され、出力電流を生成する出力部と、前記選択器を制御し、前記制御部の出力が入力される出力制御部とを有し、前記ウオッチドッグタイマが前記制御部の異常を検出したときに、前記出力制御部は前記選択器を制御して、前記出力部に前記物理量の下限値に対応する出力電流よりも小さい電流値に関連する信号を出力するようにしたことを特徴とする請求項５記載の２線式伝送器。
【請求項７】
所定のクロックを分周する第１の分周回路と、この第１の分周回路によってクロックが供給される第１の周辺回路とを有し、前記ウオッチドッグタイマが前記制御部の異常を検出したときに前記第２の分周回路は前記第１の分周回路の分周比を大きくするようにしたことを特徴とする請求項６記載の２線式伝送器。
【請求項８】
前記制御部が出力する、前記センサの出力を加工した信号は、ＰＷＭ（Ｐｕｌｓｅ  Ｗｉｄｔｈ  Ｍｏｄｕｌａｔｉｏｎ）設定値であることを特徴とする請求項５ないし請求項７いずれかに記載の２線式伝送器。
【請求項９】
物理量を電気信号に変換するセンサと、このセンサの出力が入力され、そのセンサ出力を加工して出力すると共に前記センサの動作を監視する制御部とを有し、前記制御部が前記センサの異常を検出したときに、前記制御部は周辺回路への電力供給を停止すると共に、出力電流を前記センサが検出する前記物理量の下限値に対応する出力電流の値よりも小さくするようにしたことを特徴とする２線式伝送器。
【請求項１０】
前記制御部の出力および前記センサが検出する前記物理量の下限値に対応する電流値よりも小さい出力電流の値に関連する信号が入力される選択器と、この選択器の出力が入力され、出力電流を生成する出力部と、前記選択器を制御し、前記制御部の出力が入力される出力制御部とを有し、前記制御部が前記センサの異常を検出したときに、前記出力制御部は前記選択器を制御して、前記出力部に前記物理量の下限値に対応する電流値よりも小さい出力電流の値に関連する信号を出力するようにしたことを特徴とする請求項９記載の２線式伝送器。
【請求項１１】
前記制御部が出力する前記センサの出力を加工した信号は、ＰＷＭ（Ｐｕｌｓｅ  Ｗｉｄｔｈ  Ｍｏｄｕｌａｔｉｏｎ）設定値であることを特徴とする請求項９または請求項１０記載の２線式伝送器。
【請求項１２】
物理量を電気信号に変換するセンサと、このセンサの出力が入力され、このセンサ出力を加工して出力すると共に前記センサの動作を監視する制御部と、この制御部の動作を監視するウオッチドッグタイマとを有し、前記ウオッチドッグタイマが前記制御部の異常を検出したときに、周辺回路への電力供給を停止すると共に、出力電流を前記センサが検出する前記物理量の下限値に対応する出力電流の値よりも小さくするようにしたことを特徴とする２線式伝送器。
【請求項１３】
前記制御部の出力および前記センサが検出する前記物理量の下限値に対応する電流値よりも小さい出力電流の値に関連する信号が入力される選択器と、この選択器の出力が入力され、出力電流を生成する出力部と、前記選択器を制御し、前記制御部の出力が入力される出力制御部とを有し、前記ウオッチドッグタイマが前記制御部の異常を検出したときに、前記出力制御部は前記選択器を制御して、前記出力部に前記物理量の下限値に対応する出力電流よりも小さい電流値に関連する信号を出力するようにしたことを特徴とする請求項１２記載の２線式伝送器。
【請求項１４】
前記制御部が出力する、前記センサの出力を加工した信号は、ＰＷＭ（Ｐｕｌｓｅ  Ｗｉｄｔｈ  Ｍｏｄｕｌａｔｉｏｎ）設定値であることを特徴とする請求項１２または請求項１３記載の２線式伝送器。
【発明の詳細な説明】
【発明の属する技術分野】
この発明は、確実に異常信号を出力することができる２線式伝送器に関するものである。
【０００１】
【従来の技術】
図６に２線式伝送器の構成を示す。図６において、ＭＰＵ５には圧力、流量などの物理量信号が入力される。ＭＰＵ５はこの物理量信号をＰＷＭ（Ｐｕｌｓｅ  Ｗｉｄｔｈ  Ｍｏｄｕｌａｔｉｏｎ）信号に変換して出力する。６は異常時用出力設定スイッチであり、異常時に出力する信号を発生する。この異常時信号とＭＰＵ５のＰＷＭ信号はゲートアレイ７に入力される。
【０００２】
ゲートアレイ７には異常状態を検出するウオッチドッグタイマ７１および切り替えスイッチ７２が内蔵されている。切り替えスイッチ７２は通常はＭＰＵ５からのＰＷＭ信号を選択し、ウオッチドッグタイマ７１が異常状態を検出すると異常時に出力する信号を選択する。
【０００３】
切り替えスイッチ７２で選択された信号は平滑回路８で電圧信号に変換され、出力電流制御回路９１に入力される。また、この２線式伝送器に流れる電流（出力電流）は抵抗９３で電圧信号に変換され、出力電流検出信号として出力電流制御回路９１に入力される。出力電流制御回路９１は、この２線式伝送器に流れる電流、すなわち出力電流が平滑回路８の出力電圧に比例するようにトランジスタ９２を制御する。
【０００４】
ウオッチドッグタイマ７１が異常状態を検出すると、平滑回路８には異常時に出力する信号が入力される。この信号は出力電流の定常範囲外の電流値になるように設定される。例えば、定常範囲が４〜２０ｍＡであると、４ｍＡ未満、または２０ｍＡよりも大きな値になるようにされる。このようにすることにより、正常状態と異常状態を確実に区別することができる。
【０００５】
【発明が解決しようとする課題】
しかしながら、このような２線式伝送器には、次のような課題があった。
【０００６】
２線式伝送器は出力電流で伝送器自身の消費電流を賄うものであるので、出力電流を伝送器の消費電流以下にすることはできない。そのため、異常時の信号を確実に検出することができないことがあるという課題があった。
【０００７】
このことを図７に基づいて説明する。図７の縦軸は出力電流の値、横軸は異常時に出力される出力電流の設定値である。この出力設定値が３．６ｍＡであり、ノイズマージンが５％であるとすると、設定値の下限は３．２ｍＡになる。しかし、伝送器の消費電流を３．４ｍＡとすると出力電流は３．４ｍＡ以下に下げることができないので５％のノイズマージンを確保することができず、異常状態を確実に検出することができない。
【０００８】
従って本発明の目的は、異常時に伝送器の消費電流を少なくすることにより、確実に異常信号のノイズマージンを確保することができる２線式伝送器を提供することにある。
【０００９】
【課題を解決するための手段】
このような課題を解決するために、本発明のうち請求項１記載の発明は、物理量を電気信号に変換するセンサと、このセンサの出力が入力され、そのセンサ出力を加工して出力すると共に前記センサの動作を監視する制御部と、所定のクロックを分周する第１の分周回路と、この第１の分周回路によってクロックが供給される第１の周辺回路とを有し、前記制御部が前記センサの異常を検出したときに、前記第１の分周回路の分周比を大きくすると共に、出力電流を前記センサが検出する前記物理量の下限値に対応する出力電流の値よりも小さくするようにしたものである。警報のノイズマージンを確保できる。
【００１０】
請求項２記載の発明は、請求項１記載の発明において、前記制御部の出力および前記センサが検出する前記物理量の下限値に対応する電流値よりも小さい出力電流の値に関連する信号が入力される選択器と、この選択器の出力が入力され、出力電流を生成する出力部と、前記選択器を制御し、前記制御部の出力が入力される出力制御部とを有し、前記制御部が前記センサの異常を検出したときに、前記出力制御部は前記選択器を制御して、前記出力部に前記物理量の下限値に対応する電流値よりも小さい出力電流の値に関連する信号を出力するようにしたものである。警報のノイズマージンを確保できる。
【００１１】
請求項３記載の発明は、請求項２記載の発明において、所定のクロックを分周する第２の分周回路と、この第２の分周回路によってクロックが供給される第２の周辺回路とを有し、前記制御部が前記センサの異常を検出したときに、前記出力制御部は前記第２の分周回路の分周比を大きくするようにしたものである。警報時の消費電力をさらに減らすことができる。
【００１２】
請求項４記載の発明は、請求項１ないし請求項３いずれかに記載の発明は、前記制御部が出力する前記センサの出力を加工した信号は、ＰＷＭ（Ｐｕｌｓｅ  Ｗｉｄｔｈ  Ｍｏｄｕｌａｔｉｏｎ）設定値であるようにしたものである。
【００１３】
請求項５記載の発明は、物理量を電気信号に変換するセンサと、このセンサの出力が入力され、このセンサ出力を加工して出力すると共に前記センサの動作を監視する制御部と、この制御部の動作を監視するウオッチドッグタイマと、所定のクロックを分周する第２の分周回路と、この第２の分周回路によってクロックが供給される第２の周辺回路とを有し、前記ウオッチドッグタイマが前記制御部の異常を検出したときに、前記第２の分周回路の分周比を大きくすると共に、出力電流を前記センサが検出する前記物理量の下限値に対応する出力電流の値よりも小さくするようにしたものである。警報のノイズマージンを確保できる。
【００１４】
請求項６記載の発明は、請求項５記載の発明において、前記制御部の出力および前記センサが検出する前記物理量の下限値に対応する電流値よりも小さい出力電流の値に関連する信号が入力される選択器と、この選択器の出力が入力され、出力電流を生成する出力部と、前記選択器を制御し、前記制御部の出力が入力される出力制御部とを有し、前記ウオッチドッグタイマが前記制御部の異常を検出したときに、前記出力制御部は前記選択器を制御して、前記出力部に前記物理量の下限値に対応する出力電流よりも小さい電流値に関連する信号を出力するようにしたものである。警報のノイズマージンを確保できる。
【００１５】
請求項７記載の発明は、請求項６記載の発明において、所定のクロックを分周する第１の分周回路と、この第１の分周回路によってクロックが供給される第１の周辺回路とを有し、前記ウオッチドッグタイマが前記制御部の異常を検出したときに前記第２の分周回路は前記第１の分周回路の分周比を大きくするようにしたものである。警報時の消費電力をさらに減らすことができる。
【００１６】
請求項８記載の発明は、請求項５ないし請求項７いずれかに記載の発明において、前記制御部が出力する、前記センサの出力を加工した信号は、ＰＷＭ（Ｐｕｌｓｅ
Ｗｉｄｔｈ  Ｍｏｄｕｌａｔｉｏｎ）設定値であるようにしたものである。
【００１７】
請求項９記載の発明は、物理量を電気信号に変換するセンサと、このセンサの出力が入力され、そのセンサ出力を加工して出力すると共に前記センサの動作を監視する制御部とを有し、前記制御部が前記センサの異常を検出したときに、前記制御部は周辺回路への電力供給を停止すると共に、出力電流を前記センサが検出する前記物理量の下限値に対応する出力電流の値よりも小さくするようにしたものである。警報時のノイズマージンを確保できる。
【００１８】
請求項１０記載の発明は、請求項９記載の発明において、前記制御部の出力および前記センサが検出する前記物理量の下限値に対応する電流値よりも小さい出力電流の値に関連する信号が入力される選択器と、この選択器の出力が入力され、出力電流を生成する出力部と、前記選択器を制御し、前記制御部の出力が入力される出力制御部とを有し、前記制御部が前記センサの異常を検出したときに、前記出力制御部は前記選択器を制御して、前記出力部に前記物理量の下限値に対応する電流値よりも小さい出力電流の値に関連する信号を出力するようにしたものである。警報時のノイズマージンを確保できる。
【００１９】
請求項１１記載の発明は、請求項９または請求項１０記載の発明において、前記制御部が出力する前記センサの出力を加工した信号は、ＰＷＭ（Ｐｕｌｓｅ  Ｗｉｄｔｈ  Ｍｏｄｕｌａｔｉｏｎ）設定値であるようにしたものである。
【００２０】
請求項１２記載の発明は、物理量を電気信号に変換するセンサと、このセンサの出力が入力され、このセンサ出力を加工して出力すると共に前記センサの動作を監視する制御部と、この制御部の動作を監視するウオッチドッグタイマとを有し、前記ウオッチドッグタイマが前記制御部の異常を検出したときに、周辺回路への電力供給を停止すると共に、出力電流を前記センサが検出する前記物理量の下限値に対応する出力電流の値よりも小さくするようにしたものである。警報時のノイズマージンを確保できる。
【００２１】
請求項１３記載の発明は、請求項１２記載の発明において、前記制御部の出力および前記センサが検出する前記物理量の下限値に対応する電流値よりも小さい出力電流の値に関連する信号が入力される選択器と、この選択器の出力が入力され、出力電流を生成する出力部と、前記選択器を制御し、前記制御部の出力が入力される出力制御部とを有し、前記ウオッチドッグタイマが前記制御部の異常を検出したときに、前記出力制御部は前記選択器を制御して、前記出力部に前記物理量の下限値に対応する出力電流よりも小さい電流値に関連する信号を出力するようにしたものである。警報のノイズマージンを確保できる。
【００２２】
請求項１４記載の発明は、請求項１２または請求項１３記載の発明において、前記制御部が出力する、前記センサの出力を加工した信号は、ＰＷＭ（Ｐｕｌｓｅ  Ｗｉｄｔｈ  Ｍｏｄｕｌａｔｉｏｎ）設定値であるようにしたものである。
【発明の実施の形態】
以下に、図に基づいて本発明を詳細に説明する。
図１は本発明に係る２線式伝送器の一実施例を示す構成図である。なお、図６と同じ要素には同一符号を付し、説明を省略する。図１において、１はＭＰＵであり、物理量信号が入力され、それに対応するＰＷＭ設定値および信号αを出力する。また、クロック低減信号が入力される。
【００２３】
２はゲートアレイであり、ＭＰＵ１が出力するＰＷＭ設定値および信号αが入力され、クロック低減信号をＭＰＵ１に出力する。このゲートアレイ２は入力されたＰＷＭ設定値からＰＷＭ信号を作成して、平滑回路８に出力する。
【００２４】
図２にＭＰＵ１およびゲートアレイ２の内部構成を示す。ＭＰＵ１は制御部として動作するＭＰＵコア１１，分周比設定レジスタ１２，クロック分周回路１３および内部回路である周辺回路１４で構成される。ＭＰＵコア１１には物理量信号が入力され、この物理量信号に対応したＰＷＭ設定値をゲートアレイ２に出力する。
【００２５】
ＭＰＵコア１１はまた分周比設定レジスタ１２の分周比を設定する。クロック分周回路１３は分周比設定レジスタ１２に設定された分周比でクロックを分周し、周辺回路１４およびＭＰＵコア１１に出力する。また、ＭＰＵコア１１は信号αをゲートアレイ２に出力する。
【００２６】
ＭＰＵコア１１はセンサなどが正常に動作しているかどうかをチェックし、異常と判断すると分周比設定レジスタ１２に設定する分周比を大きくする。その結果、クロック分周回路１３が出力するクロックの周波数が低下する。ＣＭＯＳ回路はクロックの周波数が低くなると消費電流が小さくなるという特性があるので、クロック周波数を下げることにより、消費電流を低減することができる。
【００２７】
ゲートアレイ２はウオッチドッグタイマ２１，出力切換制御部として動作するＰＷＭ切換制御部２２，分周比設定レジスタ２３，クロック分周回路２４，内部回路である周辺回路２５，選択器２６，ＰＷＭ設定レジスタ２７，ＰＷＭ生成回路２８および異常時用設定値格納レジスタ２９で構成される。
【００２８】
ウオッチドッグタイマ２１はＭＰＵ１が正常に動作しているかどうかをチェックし、その結果をＰＷＭ切換制御部２２に出力する。ＰＷＭ切換制御部２２は選択器２６を制御する。選択器２６はＭＰＵコア１１が出力するＰＷＭ設定値と異常時用設定値格納レジスタ２９に格納された値のいずれかを選択して、ＰＷＭ設定レジスタ２７に設定する。ＰＷＭ生成回路２８はＰＷＭ設定レジスタ２７に設定された値に基づいてＰＷＭ信号を生成して平滑回路８に出力する。
【００２９】
ＰＷＭ切換制御部２２はまた分周比設定レジスタ２３に分周比を設定する。クロック分周回路２４は分周比設定レジスタ２３に設定された分周比に基づいてクロックを分周して、周辺回路２５に出力する。また、クロック分周回路２４はクロック低減信号をクロック分周回路１３に出力する。
【００３０】
ＭＰＵ１が正常であると、ＰＷＭ切換制御部２２は選択器２６を制御してＭＰＵコア１１が出力するＰＷＭ設定値をＰＷＭ設定レジスタ２７に出力する。また、分周比設定レジスタ２３に設定する分周比を小さくする。周辺回路２５には正規の周波数のクロックが供給される。
【００３１】
ＭＰＵ１が異常になると、ウオッチドッグタイマ２１はＰＷＭ切換制御部２２にその旨の信号を送る。ＰＷＭ切換制御部２２は選択器２６を制御して異常時用設定値格納レジスタ２９に格納された値をＰＷＭ設定レジスタ２７に出力する。そのため、ＰＷＭ生成回路２８が生成するＰＷＭ信号は定常範囲から外れた異常状態を示す値になる。
【００３２】
また、ＰＷＭ切換制御部２２は分周比設定レジスタ２３に設定する分周比を大きくする。そのため、周辺回路２５には正規の周波数よりも低い周波数のクロックが供給される。同時に、クロック分周回路２４はクロック分周回路１３にクロック低減信号を出力する。クロック分周回路１３はクロック低減信号が入力されると分周比を大きくして、周辺回路１４およびＭＰＵコア１１に正規の周波数よりも低い周波数のクロックを供給する。
【００３３】
さらに、ＭＰＵコア１１はセンサなどが異常であると判断すると、信号αをＰＷＭ切換制御部２２に出力する。ＰＷＭ切換制御部２２はこの信号αが入力されると選択部２６を制御して異常時用設定値格納レジスタ２９に格納された値をＰＷＭ設定レジスタ２７に設定する。これによって、ＰＷＭ生成回路２８が出力するＰＷＭ信号は異常状態を示す値になる。
【００３４】
次に、図３フローチャートに基づいてさらに詳細に説明する。図３左側はＭＰＵ１が正常であってセンサ等それ以外の部分が異常になった場合の処理、右側はＭＰＵ１が異常になったときの処理である。（ａ−１）でセンサが故障すると、（ａ−２）でＭＰＵコア１１がそれを認識して、（ａ−３）で分周比設定レジスタ１２に大きな分周比を設定する。その結果、周辺回路１４およびＭＰＵコア１１に供給されるクロックの周波数が低くなり、回路の消費電流が減少する。
【００３５】
さらに、（ａ−４）でＭＰＵコア１１がＰＷＭ切換制御部２２に信号αを出力すると、（ａ−５）でＰＷＭ切換制御部２２は選択器２６を制御して異常時用設定値格納レジスタ２９に格納された値をＰＷＭ設定レジスタ２７にセットする。その結果、ＰＷＭ生成回路２８が出力するＰＷＭ信号は４ｍＡよりも小さい異常状態を示す値になる。周辺回路１４とＭＰＵコア１１に供給されるクロックの周波数は正規の値より低いので消費電流が下がるため、安定して異常状態を示す信号を出力することができる（ｃ−１）。
【００３６】
なお、図２で説明したように、信号αが入力されると分周比設定レジスタ２３に設定する分周比を大きくして、周辺回路２５に供給するクロックの周波数を正規の値より小さくするようにしてもよい。このようにすると、消費電流をさらに下げることができる。
【００３７】
図３右側のフローチャートは、ＭＰＵ１が異常になったときのフローである。（ｂ−１）でＭＰＵ１が異常になると、（ｂ−２）でウオッチドッグタイマ２１が働き、（ｂ−３）でＰＷＭ切換制御部２２は分周比設定レジスタ２３に大きな分周比を設定する。その結果、周辺回路２５には正規の値よりも低い周波数のクロックが供給される。
【００３８】
次に、（ｂ−４）でＰＷＭ切換制御部２２が選択部２６を制御して、異常時用設定値格納レジスタ２９に格納された値をＰＷＭ設定レジスタ２７にセットする。ＰＷＭ生成回路２８が出力するＰＷＭ信号は４ｍＡよりも小さい異常状態を示す値になる。周辺回路２５に供給されるクロックの周波数は正規の値より低くなっているので消費電流が下がるため、安定して異常状態を示す信号を出力することができる（ｃ−１）。
【００３９】
図４に本実施例の効果を示す。図４左の図は周辺回路１４，２５の消費電流が動作クロックによって下がることを示している。ＣＬＫ１より低い周波数のＣＬＫ２に変更すると、図のように消費電流を下げることができる。同右側の図は動作クロックと出力設定値の関係を示す。ＣＬＫ１では消費電流が大きくて５％のノイズマージンを確保できないが、ＣＬＫ２にすると５％のノイズマージンを確保できる。
【００４０】
図５に本発明の他の実施例を示す。なお、図２と同じ要素には同一符号を付し、説明を省略する。図５において、３はＭＰＵであり、ＭＰＵコア１１，周辺回路１４およびこの周辺回路１４に電力を供給する電力供給回路３１で構成されている。電力供給回路３１はＭＰＵコア１１で制御される。
【００４１】
４はゲートアレイであり、ウオッチドッグタイマ２１，ＰＷＭ切換制御部２２，周辺回路２５，この周辺回路２５に電力を供給する電力供給回路４１，選択器２６，ＰＷＭ設定レジスタ２７，ＰＷＭ生成回路２８および異常時用設定値格納レジスタ２９で構成される。電力供給回路４１はＰＷＭ切換制御部２２で制御される。また、電力供給回路４１から電力供給回路３１に制御信号が出力される。
【００４２】
次に、この実施例の動作を説明する。ＭＰＵコア１１が異常を検出しないときは、ＭＰＵコア１１は物理量信号をＰＷＭ設定値に変換して選択器２６に出力する。また、電力供給回路３１は周辺回路１４に電力を供給する。ＭＰＵコアが正常であり、かつセンサなどの異常を検出したときは、ＰＷＭ切換制御部２２に信号αを出力する。そして、電力供給回路３１を制御して周辺回路１４への電力供給を停止させる。
【００４３】
ウオッチドッグタイマ２１が異常を検出せずかつ信号αが入力されないときは、ＰＷＭ切換制御部は選択器２６を制御してＭＰＵコア１１が出力するＰＷＭ設定値をＰＷＭ設定レジスタ２７に出力する。また、電力供給回路４１を制御して、周辺回路２５に電力を供給する。
【００４４】
ウオッチドッグタイマ２１がＭＰＵ３の異常を検出するか、信号αが入力されると、ＰＷＭ切換制御部２２は選択器２６を制御して、異常時用設定値格納レジスタ２９に格納された値をＰＷＭ設定レジスタ２７に出力する。また、電力供給回路４１を制御して周辺回路２５への電力供給を停止させる。電力供給回路４１が周辺回路２５への電力供給を停止するときは、電力供給回路３１に信号を出力して、周辺回路１４への電力供給を停止させる。
【００４５】
すなわち、この実施例では異常が発生すると周辺回路１４，２５への電力供給を停止させるようにする。このため、伝送器自体の消費電流が低下するので、異常時の出力電流のノイズマージンを確保することができる。
【００４６】
【発明の効果】
以上説明したことから明らかなように、本発明によれば次の効果が期待できる。
請求項１ないし請求項４記載の発明によれば、センサを監視する制御部がセンサの異常を検出したときに出力電流を低下させると共に、周辺回路に供給する供給するクロックの周波数を低下させるようにした。また、選択器によってセンサ出力と警報出力を切り替えるようにし、そのときに他の周辺回路に供給するクロック周波数を低下させるようにした。さらに、センサの出力をＰＷＭ信号に変換するようにした。
【００４７】
ＣＭＯＳ回路は供給されるクロックの周波数が低くなると消費電力が小さくなるという特性があるので、クロック周波数を下げることにより、伝送器の消費電流を少なくすることができる。従って、定常状態の消費電流が大きい伝送器であっても警報時のノイズマージンを充分に取ることができるので、受け側の機器が確実に異常状態を検出することが出来るという効果がある。
【００４８】
また、分周回路の分周比を大きくするだけでクロック周波数を下げることができるので、簡単な構成で実現することが出来るという効果もある。クロック周波数を低下させると周辺回路が正常に動作しない場合もあるが、異常状態であるので周辺回路を正常に動作させる必要がないので、問題が発生することがない。さらに、ＰＷＭ信号に変換することにより、デジタル回路との親和性が良くなるという効果もある。
【００４９】
請求項５ないし請求項８記載の発明によれば、制御部を監視するウオッチドッグがセンサの異常を検出したときに出力電流を低下させると共に、周辺回路に供給する供給するクロックの周波数を低下させるようにした。また、選択器によってセンサ出力と警報出力を切り替えるようにし、そのときに他の周辺回路に供給するクロック周波数を低下させるようにした。さらに、センサの出力をＰＷＭ信号に変換するようにした。
【００５０】
ＣＭＯＳ回路は供給されるクロックの周波数が低くなると消費電力が小さくなるという特性があるので、クロック周波数を下げることにより、警報時の消費電流を少なくすることができる。従って、定常状態の消費電流が大きい伝送器であってもノイズマージンを充分に取ることができるので、受け側の機器が確実に異常状態を検出することが出来るという効果がある。
【００５１】
また、分周回路の分周比を大きくするだけでクロック周波数を下げることができるので、簡単な構成で実現することが出来るという効果もある。クロック周波数を低下させると周辺回路が正常に動作しない場合もあるが、異常状態であるので周辺回路を正常に動作させる必要がないので、問題が発生することがない。さらに、ＰＷＭ信号に変換することにより、デジタル回路との親和性が良くなるという効果もある。
【００５２】
請求項９ないし請求項１１記載の発明によれば、センサを監視する制御部がセンサの異常を検出したときに出力電流を低下させると共に、周辺回路への電力供給を停止するようにした。また、選択器によってセンサ出力と警報出力を切り替えるようにし、さらに、センサの出力をＰＷＭ信号に変換するようにした。
【００５３】
異常時に周辺回路に電力を供給しないので、伝送器自体の消費電流を低減することができる。従って、定常状態の消費電流が大きい伝送器であってもノイズマージンを充分に取ることができるので、受け側の機器が確実に異常状態を検出することが出来るという効果がある。周辺回路以外の部分には電力が供給されるので、警報出力に支障を来すことはない。また、ＰＷＭ信号に変換することによって、デジタル回路との親和性が良くなるという効果がある。
【００５４】
請求項１２ないし請求項１４記載の発明によれば、センサを監視する制御部を監視するウオッチドッグタイマが制御部の異常を検出したときに出力電流を低下させると共に、周辺回路への電力供給を停止するようにした。また、選択器によってセンサ出力と警報出力を切り替えるようにし、さらに、センサの出力をＰＷＭ信号に変換するようにした。
【００５５】
異常時に周辺回路の電力を供給しないので、警報時の消費電流を低減することができる。従って、定常状態の消費電流が大きい伝送器であってもノイズマージンを充分に取ることができるので、受け側の機器が確実に異常状態を検出することが出来るという効果がある。周辺回路以外の部分には電力が供給されるので、警報出力に支障を来すことはない。また、ＰＷＭ信号に変換することによって、デジタル回路との親和性が良くなるという効果がある。
【図面の簡単な説明】
【図１】本発明の一実施例を示す構成図である。
【図２】ＭＰＵとゲートアレイの内部構成図である。
【図３】本発明の実施例の動作を示すフローチャートである。
【図４】本発明の効果を説明するための特性図である。
【図５】本発明の他の実施例を示す構成図である。
【図６】従来の２線式伝送器の構成図である。
【図７】従来の２線式伝送器の特性図である。
【符号の説明】
１、３  ＭＰＵ
１１  ＭＰＵコア
１２，２３  分周比設定レジスタ
１３、２４  クロック分周回路
１４、２５  周辺回路
２、４  ゲートアレイ
２１  ウオッチドッグタイマ
２２  ＰＷＭ切換制御部
２６  選択器
２７  ＰＷＭ設定レジスタ
２８  ＰＷＭ生成回路
２９  異常時用設定値格納レジスタ
３１，４１  電力供給回路
【図１】
2004355101.tif 000003
【図２】
2004355101.tif 000004
【図３】
2004355101.tif 000005
【図４】
2004355101.tif 000006
【図５】
2004355101.tif 000007
【図６】
2004355101.tif 000008
【図７】
2004355101.tif 000009